(57)【特許請求の範囲】
【請求項１】
撮像装置と通信可能な情報処理装置であって、
前記撮像装置を一意に識別するための識別情報と、前記撮像装置が画像を撮影した撮影時刻と、を含む付加情報を付加した第二の画像を生成して記憶媒体に記憶すると共に前記第二の画像を加工して前記第二の画像よりも容量が小さく、かつ、前記付加情報を付加した第一の画像を生成する撮像装置より前記第一の画像を受信する受信手段と、
前記第二の画像が記憶された記憶媒体の挿入又は接続に応じて前記記憶媒体より、前記第二の画像を読み出す読み出し手段と、
前記受信手段で受信された前記第一の画像の付加情報と、前記読み出し手段で読み出された前記第二の画像の付加情報と、が一致するか否かに基づいて、前記第一の画像と、前記第二の画像と、が関連した画像か否かを判断する判断手段と、
前記判断手段で関連した画像であると判断された場合、前記第一の画像の前記付加情報に前記第二の画像を特定するための情報を追加する、及び／又は、前記第二の画像の前記付加情報に前記第一の画像を特定するための情報を追加する、ことにより、前記第一の画像と、前記第二の画像と、を関連付ける関連付け手段と、
を有することを特徴とする情報処理装置。
【請求項２】
前記付加情報は、前記撮像装置が付与する元ファイル名を含み、
前記判断手段は、前記第一の画像の付加情報に含まれる撮影時刻と、前記第二の画像の付加情報に含まれる画像の撮影時刻と、が一致しない場合には、前記第一の画像の付加情報に含まれる前記第一の画像の元ファイル名と、前記第二の画像の付加情報に含まれる前記第二の画像の元ファイル名と、が一致するか否かに基づいて、前記第一の画像と、前記第二の画像と、が関連した画像か否かを判断することを特徴とする請求項１に記載の情報処理装置。
【請求項３】
前記第二の画像を特定するための情報は、前記第二の画像の格納場所を示す情報であり、前記第一の画像を特定するための情報は、前記第一の画像の格納場所を示す情報であることを特徴とする請求項１又は２に記載の情報処理装置。
【請求項４】
前記受信手段で受信された前記第一の画像を記憶装置の所定のフォルダ又はディレクトリに記憶する第一の記憶手段と、
前記記憶装置より前記第一の画像を読み出す第二の読み出し手段と、
前記関連付け手段で前記第一の画像と関連付けられた前記第二の画像を前記第一の画像と同一階層のフォルダ又はディレクトリに記憶する第二の記憶手段と、
を更に有し、
前記第一の記憶手段は、前記識別情報ごとに前記記憶装置にフォルダ、又はディレクトリを作成し、作成したフォルダ、又はディレクトリに前記受信手段で受信された前記第一の画像を記憶し、
前記第二の読み出し手段は、ユーザの選択操作に応じて、指定された識別情報に対応するフォルダ、又はディレクトリより前記第一の画像を読み出すか、又は全フォルダ、又はディレクトリより前記第一の画像を読み出すことを特徴とする請求項１乃至３の何れか１項に記載の情報処理装置。
【請求項５】
前記付加情報は、前記撮像装置によって付加された複数の前記画像をグルーピングするためのグループ情報を含み、
入力された、前記グループ情報と、前記識別情報と、を用いて、同一の前記グループ情報と、前記識別情報と、を含む画像を検索する検索手段を更に有することを特徴とする請求項１乃至４の何れか１項に記載の情報処理装置。
【請求項６】
撮像装置と通信可能な情報処理装置における情報処理方法であって、前記情報処理装置が、
前記撮像装置を一意に識別するための識別情報と、前記撮像装置が画像を撮影した撮影時刻と、を含む付加情報を付加した第二の画像を生成して記憶媒体に記憶すると共に前記第二の画像を加工して前記第二の画像よりも容量が小さく、かつ、前記付加情報を付加した第一の画像を生成する撮像装置より前記第一の画像を受信する受信ステップと、
前記第二の画像が記憶された記憶媒体の挿入又は接続に応じて前記記憶媒体より、前記第二の画像を読み出す読み出しステップと、
前記受信ステップで受信された前記第一の画像の付加情報と、前記読み出しステップで読み出された前記第二の画像の付加情報と、が一致するか否かに基づいて、前記第一の画像と、前記第二の画像と、が関連した画像か否かを判断する判断ステップと、
前記判断ステップで関連した画像であると判断された場合、前記第一の画像の前記付加情報に前記第二の画像を特定するための情報を追加する、及び／又は、前記第二の画像の前記付加情報に前記第一の画像を特定するための情報を追加する、ことにより、前記第一の画像と、前記第二の画像と、を関連付ける関連付けステップと、
を有することを特徴とする情報処理方法。
【請求項７】
撮像装置と通信可能なコンピュータを、
前記撮像装置を一意に識別するための識別情報と、前記撮像装置が画像を撮影した撮影時刻と、を含む付加情報を付加した第二の画像を生成して記憶媒体に記憶すると共に前記第二の画像を加工して前記第二の画像よりも容量が小さく、かつ、前記付加情報を付加した第一の画像を生成する撮像装置より前記第一の画像を受信する受信手段と、
前記第二の画像が記憶された記憶媒体の挿入又は接続に応じて前記記憶媒体より、前記第二の画像を読み出す読み出し手段と、
前記受信手段で受信された前記第一の画像の付加情報と、前記読み出し手段で読み出された前記第二の画像の付加情報と、が一致するか否かに基づいて、前記第一の画像と、前記第二の画像と、が関連した画像か否かを判断する判断手段と、
前記判断手段で関連した画像であると判断された場合、前記第一の画像の前記付加情報に前記第二の画像を特定するための情報を追加する、及び／又は、前記第二の画像の前記付加情報に前記第一の画像を特定するための情報を追加する、ことにより、前記第一の画像と、前記第二の画像と、を関連付ける関連付け手段と、
して機能させることを特徴とするプログラム。
【請求項８】
請求項７に記載のプログラムを記憶した、コンピュータが読み取り可能な記憶媒体。
【発明の詳細な説明】
【技術分野】
【０００１】
本発明は、情報処理装置及び情報処理方法に関する。
【背景技術】
【０００２】
特許文献１には、以下の様な技術が開示されている。
ユーザがデジタルカメラを用いて撮影を行うことにより、メディアに画像データを記録し、メディアの空き容量がなくなると、携帯電話を経由して写真店に画像データを送信して、サーバに画像データを保管する。送信時、デジタルカメラのコントローラは、デジタルカメラのＩＤ或いはユーザＩＤ等のＩＤ情報を画像データに付与する。写真店においては、画像データに付与されたＩＤ情報に基づいて、サーバのユーザディレクトリに画像データを分類して保管する。
【０００３】
特許文献２には、以下の様な技術が開示されている。
レリーズスイッチが操作されて撮影指示がなされた時に、撮影画像を表す画像データを取得し、メモリカードを特定する識別情報や撮影時の撮影日時や撮影時刻を表す撮影情報等の撮影に関連する関連情報を画像データ（ＲＡＷデータ）に付与する。そして、このＲＡＷデータをコンピュータへ送信する。また、画像データに基づいて表示用画像データを生成し、同様に関連情報を付与して、メモリカードに記録する。即ち、表示用画像データのみをメモリカードに記憶し、容量の大きいＲＡＷデータは、コンピュータへ送信して、コンピュータに保存する。
【０００４】
【特許文献１】特開２００３−１１０７８９号公報
【特許文献２】特開２００４−１２０１６３号公報
【発明の開示】
【発明が解決しようとする課題】
【０００５】
特許文献１の技術では、撮影した大容量画像（例えばＲＡＷ画像）をそのままプレゼン用の情報処理装置に送信することになり、写真表示までの時間が長くなり、又無線ＬＡＮ等の通信回線への負荷が大きい問題があった。
【０００６】
また、特許文献２の技術では、カメラ側の負荷を軽減するには好適であるが、写真表示までの時間が長くなり、又無線ＬＡＮ等の通信回線への負荷が大きい問題があった。
【０００７】
更に、画像転送ソフトの種類によっては、複数のカメラから１台のパソコンの監視フォルダに画像を転送する場合等、画像のファイル名が重複するケースでは、後から転送した画像ファイル名の末尾に付加名称を付けて上書きを避ける仕様がある。このような仕様の監視フォルダの場合、特許文献２の技術では、ＲＡＷデータのファイル名に付加名称（例えば"＿０１"等）が付いてしまう。したがって、メモリカードに残っている表示用画像のファイル名と、ＲＡＷデータのファイル名と、が不一致になってしまうという問題があった。
【０００８】
また、複数種類の画像を監視フォルダから所定のフォルダに分類してリネームする場合に、画像の種類に関係なく、連番を付加してリネームする仕様がある。このような仕様の場合、監視フォルダに元のファイル名がＩＭＧ＿０００１．ｊｐｇ（ＪＰＥＧ画像のファイル）と、ＩＭＧ＿０００１．ｃｒ２（ＲＡＷ画像のファイル）と、が存在すると、以下の様な問題があった。つまり、このような仕様のパソコンによって、上記ファイルが、それぞれＩＭＧ＿０００１＿２００６０５２５＿０１９．ｊｐｇ、ＩＭＧ＿０００１＿２００６０５２５＿０２０．ｃｒ２と、リネームされる。この結果、連番部分が不一致となり、両画像が関連する（つまり、１ショットで撮影されたペアの）画像であることの判定が困難になる問題もあった。
【０００９】
本発明はこのような問題点に鑑みなされたもので、プレゼン時の快適な表示レスポンスを確保すると共に、情報処理装置側で選択されたプレゼン用の画像に対応した印刷用の画像を確実に選択可能にすることを目的とする。
【課題を解決するための手段】
【００１０】
そこで、本発明は、撮像装置と通信可能な情報処理装置であって、前記撮像装置を一意に識別するための識別情報と、前記撮像装置が画像を撮影した撮影時刻と、を含む付加情報を付加した第二の画像を生成して記憶媒体に記憶すると共に前記第二の画像を加工して前記第二の画像よりも容量が小さく、かつ、前記付加情報を付加した第一の画像を生成する撮像装置より前記第一の画像を受信する受信手段と、前記第二の画像が記憶された記憶媒体の挿入又は接続に応じて前記記憶媒体より、前記第二の画像を読み出す読み出し手段と、前記受信手段で受信された前記第一の画像の付加情報と、前記読み出し手段で読み出された前記第二の画像の付加情報と、が一致するか否かに基づいて、前記第一の画像と、前記第二の画像と、が関連した画像か否かを判断する判断手段と、前記判断手段で関連した画像であると判断された場合、前記第一の画像の前記付加情報に前記第二の画像を特定するための情報を追加する、及び／又は、前記第二の画像の前記付加情報に前記第一の画像を特定するための情報を追加する、ことにより、前記第一の画像と、前記第二の画像と、を関連付ける関連付け手段と、を有することを特徴とする。
【００１１】
係る構成とすることにより、情報処理装置は、例えば、第一の画像（例えばＪＰＥＧ画像等）と、第一の画像と比較して容量の大きい第二の画像（例えばＲＡＷ画像等）と、の内、第一の画像を撮像装置より受信し、記憶する。よって、情報処理装置において、プレゼン時に第一の画像を表示させることによって、快適な表示レスポンスを確保することができる。また、係る構成とすることにより、情報処理装置は、例えば、付加情報に基づき、第一の画像と、第二の画像と、を関連付ける。よって、情報処理装置側で選択された第一の画像（例えばプレゼン用の画像）に対応する第二の画像（例えば印刷用の画像）を確実に選択可能にすることができる。
【００１２】
また、本発明は、撮像装置と通信可能な情報処理装置における情報処理方法であって、前記情報処理装置が、前記撮像装置を一意に識別するための識別情報と、前記撮像装置が画像を撮影した撮影時刻と、を含む付加情報を付加した第二の画像を生成して記憶媒体に記憶すると共に前記第二の画像を加工して前記第二の画像よりも容量が小さく、かつ、前記付加情報を付加した第一の画像を生成する撮像装置より前記第一の画像を受信する受信ステップと、前記第二の画像が記憶された記憶媒体の挿入又は接続に応じて前記記憶媒体より、前記第二の画像を読み出す読み出しステップと、前記受信ステップで受信された前記第一の画像の付加情報と、前記読み出しステップで読み出された前記第二の画像の付加情報と、が一致するか否かに基づいて、前記第一の画像と、前記第二の画像と、が関連した画像か否かを判断する判断ステップと、前記判断ステップで関連した画像であると判断された場合、前記第一の画像の前記付加情報に前記第二の画像を特定するための情報を追加する、及び／又は、前記第二の画像の前記付加情報に前記第一の画像を特定するための情報を追加する、ことにより、前記第一の画像と、前記第二の画像と、を関連付ける関連付けステップと、を有することを特徴とする。
【００１３】
また、本発明は、プログラムであって、撮像装置と通信可能なコンピュータを、前記撮像装置を一意に識別するための識別情報と、前記撮像装置が画像を撮影した撮影時刻と、を含む付加情報を付加した第二の画像を生成して記憶媒体に記憶すると共に前記第二の画像を加工して前記第二の画像よりも容量が小さく、かつ、前記付加情報を付加した第一の画像を生成する撮像装置より前記第一の画像を受信する受信手段と、前記第二の画像が記憶された記憶媒体の挿入又は接続に応じて前記記憶媒体より、前記第二の画像を読み出す読み出し手段と、前記受信手段で受信された前記第一の画像の付加情報と、前記読み出し手段で読み出された前記第二の画像の付加情報と、が一致するか否かに基づいて、前記第一の画像と、前記第二の画像と、が関連した画像か否かを判断する判断手段と、前記判断手段で関連した画像であると判断された場合、前記第一の画像の前記付加情報に前記第二の画像を特定するための情報を追加する、及び／又は、前記第二の画像の前記付加情報に前記第一の画像を特定するための情報を追加する、ことにより、前記第一の画像と、前記第二の画像と、を関連付ける関連付け手段と、して機能させることを特徴とする。
【００１４】
また、本発明は、プログラムを記憶媒体に記憶した形態で実施してもよい。
【発明の効果】
【００１５】
本発明によれば、プレゼン時の快適な表示レスポンスを確保すると共に、情報処理装置側で選択されたプレゼン用の画像に対応した印刷用の画像を確実に選択可能にすることができる。
【発明を実施するための最良の形態】
【００１６】
以下、本発明の実施形態について図面に基づいて説明する。
【００１７】
＜実施形態１＞
図１は、印刷システムのシステム構成の一例を示す図である。
図１に示されるように、印刷システムは、無線ＬＡＮアクセスポイント１００を介して、撮像装置の一例であるデジタルカメラ１０１と、印刷装置１０２と、情報処理装置１０３と、が接続されている。なお、情報処理装置１０３には、ディスプレイ１０４が接続されている。
【００１８】
デジタルカメラ１０１には、無線ＬＡＮアダプタと、記憶媒体が装着されている。デジタルカメラ１０１が生成した画像の内、第二の画像の一例であるＲＡＷ画像は、記憶媒体に記憶される。一方、デジタルカメラ１０１が生成した画像の内、ＲＡＷ画像を加工して生成される、ＲＡＷ画像より容量の小さい第一の画像の一例であるＪＰＥＧ画像等は、無線通信を介して情報処理装置１０３に送信され、情報処理装置１０３のハードディスク２８又はＲＡＭ２２（図２）等に記憶される。
【００１９】
記憶媒体に記憶されたＲＡＷ画像は、記憶媒体が情報処理装置１０３に挿入（又は接続）されることによって、情報処理装置１０３のハードディスク等に記憶される。この際、情報処理装置１０３は、ＪＰＥＧ画像に付加されている付加情報と、ＲＡＷ画像に付加されている付加情報と、に基づいて、関連する画像の関連付け処理（又は紐付け処理）を行う。そして、情報処理装置１０３は、関連付けの情報を例えば付加情報等に含める。
【００２０】
よって、情報処理装置１０３は、例えば、プレゼンの際は、ＲＡＷ画像より容量の小さいＪＰＥＧ画像をディスプレイに表示するので、快適な表示レスポンスを確保することができる。また、情報処理装置１０３は、表示しているＪＰＥＧ画像等が印刷対象として選択された場合、関連付けの情報に基づいて、このＪＰＥＧ画像に関連するＲＡＷ画像を速やかに特定し、印刷処理することができる。
【００２１】
なお、記憶媒体のより具体的な例としては、例えば、コンパクトフラッシュ（登録商標）カードや、スマートメディア等であるが、これに限らず例えば小型のハードディスクドライブを内蔵したいわゆるストレージャー等でもよく情報処理装置と接続又は通信可能であれば良い。
【００２２】
図２は、情報処理装置（コンピュータ）のハードウェア構成の一例を示す図である。情報処理装置１０３のより具体的な例としては、パソコンであるが、これに限らず、所謂ワークステーションやＰＣサーバ等であってもよい。
【００２３】
情報処理装置１０３は、ハードウェア構成として、ＣＰＵ２１と、ＲＡＭ２２と、ＲＯＭ２３と、通信アダプタ２４と、ディスプレイアダプタ２５と、キーボード２６と、マウス２７と、ハードディスク２８と、ドライブ２９と、を含む。図２に示されるように、各構成は、システムバス２０を介して、互いに接続されている。
【００２４】
ＣＰＵ２１は、情報処理装置１０３全体の制御を司る。ＲＯＭ２３は、キーボード２６、マウス２７等の機器の制御に係る所謂ＢＩＯＳ等のプログラムを記憶する。ＲＡＭ２２は、実行中のプログラムを記憶すると共に、実行中のプログラムに利用されるデータ等を一時的に記憶する。
【００２５】
通信アダプタ２４は、情報処理装置１０３を無線ＬＡＮアクセスポイント１００に接続する機能を提供する。ディスプレイアダプタ２５は、情報処理装置１０３をディスプレイ１０４に接続する機能を提供する。キーボード２６及びマウス２７は、操作者の操作に応じて、情報等を情報処理装置１０３に入力する。ハードディスク２８は、ＯＳや本実施形態に係る情報処理装置１０３の機能等に係るプログラム等が記憶されている。
【００２６】
ＣＰＵ２１が、ハードディスク２８から前記プログラムをＲＡＭ２２上に読み出して、実行することによって、情報処理装置１０３の機能、又は後述する情報処理装置１０３が実行するフローチャートの各ステップが実現される。
【００２７】
なお、ハードディスク２８には、ＯＳやプログラム以外に、デジタルカメラ１０１で生成されたＲＡＷ画像や、ＪＰＥＧ画像等が記憶される。ドライブ２９は、セットされた記憶媒体よりデータ等を読み取る。
【００２８】
以下、プレゼン用画像（本実施形態の例ではＪＰＥＧ画像）の転送処理の一例を、図３を用いて説明する。図３は、プレゼン用画像の転送処理の一例を示すフローチャートである。転送処理の概要を説明すると、デジタルカメラ１０１は、１ショット（シャッター押下１回）で、ＲＡＷ画像及びＪＰＥＧ画像等、形式の異なる画像を生成して保存する（例えば、ＩＭＧ＿０００５．ｃｒ２とＩＭＧ＿０００５．ｊｐｇ）。そして、デジタルカメラ１０１は、その内、容量の小さい画像（ＪＰＥＧ画像）を情報処理装置１０３に送信（転送）する。
【００２９】
ステップＳ３０１において、ユーザは、デジタルカメラ１０１のメニュー画面の「生成画像形式設定」にて、デジタルカメラ１０１において生成する画像の形式を選択する。なお、本実施形態では、ユーザは、ＪＰＥＧ画像と、ＲＡＷ画像と、を選択したものとして説明を行うが、本実施形態は、このことに限定されるものではない。例えば、選択された画像の形式が、ＲＡＷ画像より容量の小さいｓＲＡＷ画像と、ＲＡＷ画像と、であってもよい。また、選択された画像の形式が、Ｔｉｆｆ画像と、ＲＡＷ画像と、であってもよい。但し、以下では説明の簡略化のため、選択された画像は、ＪＰＥＧ画像と、ＲＡＷ画像と、であるものとして説明を行う。
デジタルカメラ１０１は、ユーザによって選択された画像の形式を設定する（撮影画像形式設定）。
【００３０】
ステップＳ３０２において、ユーザは、デジタルカメラ１０１のメニュー画面の「転送画像形式設定」にて、プレゼンで使用する（つまり、転送する）画像の形式（ＪＰＥＧ画像）を選択する。
デジタルカメラ１０１は、ユーザによって選択された転送画像の形式を設定する（転送画像形式設定）。なお、ステップＳ３０１及びステップＳ３０２は、撮影に先立つ事前処理である。
【００３１】
一方、ステップＳ３２１において、ユーザは、キーボード２６及びマウス２７等を用いて、図４に示されるようなディスプレイ１０４に表示される画面において、受付番号を入力する。情報処理装置１０３は、受付番号が入力され、作成ボタン等が押下されると、この受付番号を受け取る。ここで、図４は、受付番号入力画面の一例を示す図である。
【００３２】
ステップＳ３２２において、情報処理装置１０３は、ステップＳ３２１で受け取った受付番号に従って画像格納用フォルダ（又はディレクトリ）を予め「環境設定情報」にて指定された格納場所に作成する。なお、環境設定情報は、例えば、ハードディスク２８又はＲＡＭ２２等に記憶されている。
【００３３】
ステップＳ３２３において、情報処理装置１０３は、作成済みのフォルダでユーザに指定された監視フォルダの監視をアクティブにして、デジタルカメラ１０１から画像が送られてくるのを待機する。
【００３４】
一方、ステップＳ３０３において、デジタルカメラ１０１は、ユーザ操作（シャッターの押下）に応じて、撮影を行い、ＲＡＷ画像を生成する。
【００３５】
ステップＳ３０４において、デジタルカメラ１０１は、ステップＳ３０１で設定された生成画像形式に応じて、ＲＡＷ画像から画像（本実施形態ではＪＰＥＧ画像）を生成する。
ステップＳ３０５において、デジタルカメラ１０１は、ステップＳ３０２で設定された転送画像形式に応じて、転送対象ではない画像（本実施形態ではＲＡＷ画像）を記憶媒体等に書き込む。
【００３６】
ステップＳ３０６において、デジタルカメラ１０１は、ステップＳ３０２で設定された転送画像形式に応じて、転送対象の画像（本実施形態ではＪＰＥＧ画像）を情報処理装置１０３に転送（送信）する。
【００３７】
ステップＳ３０７において、デジタルカメラ１０１は、所定のボタンが押下されたか否かに応じて、撮影を終了するか否かを判定する。デジタルカメラ１０１は、撮影を終了しないと判定すると、ステップＳ３０３に戻り、撮影を終了すると判定すると、図３に示すデジタルカメラ１０１側の処理を終了する。
【００３８】
一方、ステップＳ３２４において、情報処理装置１０３は、デジタルカメラ１０１から送信されたＪＰＥＧ画像を受信して監視フォルダに記憶する。
【００３９】
ステップＳ３２５において、情報処理装置１０３は、環境設定情報にて指定された内容に従って、受信したＪＰＥＧ画像のファイル名のリネームを行い、該当する（受付番号の格納用フォルダ内に画像を移動する。例えば元のファイル名がＩＭＧ＿０００５．ｊｐｇで、環境設定情報の指定が「受付番号（１０桁）＿カメラＢｏｄｙＮｏ（８桁）＿元のファイル名＿連番（４桁）」の場合、情報処理装置１０３は、０１２３４５６７８９＿５２４５１２３４＿ＩＭＧ＿０００５＿０００１．ｊｐｇのようにファイル名をリネームする。なお、格納用フォルダに移動後に受信したＪＰＥＧ画像のファイル名のリネームを行っても良い。
より具体的に説明すると、情報処理装置１０３は、図６（ａ）に示すようなＪＰＥＧ画像用のフォルダを作成し、リネームしたＪＰＥＧ画像を、このＪＰＥＧ画像用のフォルダに格納する。
【００４０】
ステップＳ３２６において、情報処理装置１０３は、正常に登録が完了した画像を、ディスプレイ１０４に表示する。ステップＳ３２７において、情報処理装置１０３は、デジタルカメラ１０１からの画像転送を待機する処理を終了するか否かを判定する。情報処理装置１０３は、画像転送を待機する処理を終了すると判定すると、図３に示す情報処理装置１０３側の処理を終了する。一方、情報処理装置１０３は、画像転送を待機する処理を終了しないと判定すると、ステップＳ３２４に戻る。なお、情報処理装置１０３は、例えば、所定のユーザ操作が行われたか否かに基づいて、画像転送を待機する処理を終了するか否かを判定する。
【００４１】
図３に示したように、容量の小さい画像だけを情報処理装置１０３に転送することにより、デジタルカメラ１０１と、情報処理装置１０３と、の間のネットワーク負荷を軽減させることができる。また、情報処理装置１０３で表示させるのは、容量の小さい画像であるため、表示レスポンスの向上が図れる。
【００４２】
以下、加工編集用画像（本実施形態の例ではＲＡＷ画像）と、プレゼン用画像（本実施形態の例ではＪＰＥＧ画像）と、の関連付け処理の一例を、図５を用いて説明する。図５は、関連付け処理の一例を示すフローチャートである。
【００４３】
情報処理装置１０３は、ＲＡＷ画像が記憶された記憶媒体が挿入（又は接続）されると、以下に示す処理を開始する。
ステップＳ５０１において、情報処理装置１０３は、ステップＳ３２５において登録したプレゼン用のＪＰＥＧ画像の中から関連付けを行う画像をユーザに選択させるため、図７（ａ）に示されるような画面をディスプレイ１０４に表示する。
【００４４】
ステップＳ５０２において、ユーザは、図７（ａ）に示される画面において、関連付けを行う画像を、受付番号で指定するか、又は全画像（作成した全フォルダの画像）とするか、を選択する。例えばユーザが受付番号を選択すると、情報処理装置１０３は、図７（ｂ）に示されるような画面をディスプレイ１０４に表示する。ユーザは、図７（ｂ）に示される画面において、関連付けを行う画像が記憶されたフォルダに関する受付番号を入力する。以下、本実施形態では、説明の簡略化のため、ユーザは、全画像でなく、受付番号を指定し、入力したものとして説明を行う。なお、図７は、関連付け対象画像選択画面の一例を示す図である。
情報処理装置１０３は、入力された受付番号をＲＡＭ２２のワークエリアに記憶する。
【００４５】
ステップＳ５０３において、情報処理装置１０３は、挿入（又は接続）された記憶媒体内のＲＡＷ画像と、選択操作に応じて指定された受付番号に関するフォルダ内のＪＰＥＧ画像と、を比較し、関連した画像か否か（同一ショットの画像か否か）を判断する。情報処理装置１０３は、同一ショットの画像であると判断した場合、環境設定情報にて指定された内容（又は記述）に従って、同一ショットの画像であると判断したＲＡＷ画像のファイル名のリネームを行い、格納場所を決定する。
より具体的に説明すると、情報処理装置１０３は、ＲＡＷ画像に関連するＪＰＥＧ画像が格納されているフォルダ（ＪＰＥＧ画像用のフォルダ）と同階層のＲＡＷ画像用のフォルダ（図６（ｂ）参照）を、ＲＡＷ画像を格納する格納場所に決定する。
【００４６】
情報処理装置１０３は、同一ショットの画像であると判断したＪＰＥＧ画像の付加情報に、このＪＰＥＧ画像に関連するＲＡＷ画像の格納場所を示す情報（ファイルパス）を追加すると共に、前記付加情報のペアありフラグをＯＮにする。同様に、情報処理装置１０３は、同一ショットの画像であると判断したＲＡＷ画像の付加情報に、このＲＡＷ画像に関連するＪＰＥＧ画像の格納場所を示す情報（ファイルパス）を追加すると共に、前記付加情報のペアありフラグをＯＮにする。
【００４７】
ここで、付加情報には、「デジタルカメラのＢｏｄｙＮｏ（デジタルカメラの識別情報）」、「撮影日時（撮影時刻）」、「ペアありフラグ」の情報が含まれているものとする。
【００４８】
なお、情報処理装置１０３は、ペアであると判断した画像の付加情報に相手方のファイルパスを追加する代わりに、ハードディスク２８等に記憶されている管理用のＸＭＬファイル等に、ペア同士の画像のファイル名のフルパスを記述するようにしてもよい。また、情報処理装置１０３は、ペアであると判断した画像の付加情報から読み出した「撮影日時」（年月日時分秒ミリ秒）をファイル名にするようリネームを行い、互いがペア同士の画像であると判断できるようにしてもよい。
なお、ステップＳ５０３の処理の詳細は、後述する図８を用いて詳細に説明する。
【００４９】
ステップＳ５０４において、情報処理装置１０３は、ステップＳ５０３で関連付けを行ったＲＡＷ画像を、決定した格納場所に格納する。なお、情報処理装置１０３は、関連付けを行うことができなかったＲＡＷ画像が存在した場合、このＲＡＷ画像を、所定の格納場所に格納する。
【００５０】
情報処理装置１０３が図５に示したようなＲＡＷ画像と、ＪＰＥＧ画像との関連付け処理を行うことにより、１ショットで生成された、容量が異なる複数の画像を如何なるタイミングで情報処理装置１０３に登録したとしても関連付けることができる。これにより、プレゼン時にセレクトされた、容量の小さい画像に関連する、編集加工用の容量の大きい画像を確実に選択し、この画像に対して、例えば編集加工処理や印刷処理等を施すことができる。
【００５１】
図８は、関連付け処理の詳細を示すフローチャートである。なお、以下に示す処理は、ＪＰＥＧ画像を比較元にして、ＪＰＥＧ画像と、ＲＡＷ画像との関連付け処理を行う場合の処理である。ＲＡＷ画像を比較元にしてＲＡＷ画像と、ＪＰＥＧ画像との関連付け処理を行う場合、以下に示す「ＪＰＥＧ画像」と、「ＲＡＷ画像」と、が入れ替わることになる。
【００５２】
ステップＳ８０１において、情報処理装置１０３は、ステップＳ５０２において受け取った受付番号に対応するフォルダ内のＪＰＥＧ画像のファイル名リストを作成する。
ステップＳ８０２において、情報処理装置１０３は、挿入（又は接続）された記憶媒体内のＲＡＷ画像のファイル名リストを作成する。
【００５３】
ステップＳ８０３において、情報処理装置１０３は、ＪＰＥＧ画像のファイル名リストから１つのファイル名を読み出し、該当するＪＰＥＧ画像の付加情報（画像ファイル内に記録される属性情報）を読み出し、ＲＡＭ２２に記憶する（第一の読み出し）。
【００５４】
ステップＳ８０４において、情報処理装置１０３は、ＲＡＷ画像のファイル名リストから１つのファイル名を読み出し、該当するＲＡＷ画像の付加情報を読み出し、ＲＡＭ２２に記憶する（第二の読み出し）。
【００５５】
ステップＳ８０５において、情報処理装置１０３は、比較元のＪＰＥＧ画像の付加情報に含まれるペアありフラグがＯＮになっているか否かを判定する。情報処理装置１０３は、ＯＮになっている場合は、ステップＳ８１０に進み、ＯＮになっていない場合は、ステップＳ８０６に進める。
【００５６】
ステップＳ８０６において、情報処理装置１０３は、ＪＰＥＧ画像の付加情報に含まれるデジタルカメラのＢｏｄｙＮｏと、ＲＡＷ画像の付加情報に含まれるデジタルカメラのＢｏｄｙＮｏと、が一致するか否かを判定する。情報処理装置１０３は、一致する場合は、ステップＳ８０７に処理を進め、一致しない場合は、ステップＳ８１０に処理を進める。
【００５７】
ステップＳ８０７において、情報処理装置１０３は、ＪＰＥＧ画像の付加情報に含まれる撮影日時と、ＲＡＷ画像の付加情報に含まれる撮影日時と、がミリ秒まで一致するか否かを判定する。ミリ秒まで比較するのは、ワインダー等を用いた場合１秒間に複数ショットを撮影することが可能だからである。情報処理装置１０３は、撮影日時が一致する場合は、ステップＳ８０９に処理を進め、一致しない場合は、ステップＳ８０８に処理を進める。
【００５８】
ステップＳ８０８において、情報処理装置１０３は、ＪＰＥＧ画像のファイル名に含まれる元画像名（例えば８桁）が、ＲＡＷ画像のファイル名に含まれる元画像名に一致するか否かを判定する。情報処理装置１０３は、一致する場合は、ステップＳ８０９に処理を進め、一致しない場合は、ステップＳ８１０に処理を進める。
【００５９】
ステップＳ８０９において、情報処理装置１０３は、ＲＡＷ画像のファイル名のリネームを行い、格納場所を決定する。そして、情報処理装置１０３は、同一ショットの画像であると判断したＪＰＥＧ画像の付加情報に、このＪＰＥＧ画像に関連するＲＡＷ画像の格納場所を示す情報（ファイルパス）を追加すると共に、前記付加情報のペアありフラグをＯＮにする。同様に、情報処理装置１０３は、同一ショットの画像であると判断したＲＡＷ画像の付加情報に、このＲＡＷ画像に関連するＪＰＥＧ画像の格納場所を示す情報（ファイルパス）を追加すると共に、前記付加情報のペアありフラグをＯＮにする。また、情報処理装置１０３は、ペアリング数を１つインクリメントする。
【００６０】
ステップＳ８１０において、情報処理装置１０３は、処理対象の全ＲＡＷ画像を読み出し済みか否か判定し、全て読み出し済みの場合は、ステップＳ８１１に進み、全て読み出し済みでない場合は、ステップＳ８０４に戻る。
【００６１】
ステップＳ８１１において、情報処理装置１０３は、処理対象の全ＪＰＥＧ画像を読み出し済みか否か判定し、全て読み出し済みの場合は、ステップＳ８１１に進み、全て読み出し済みでない場合は、ステップＳ８０３に戻る。
【００６２】
ステップＳ８１２において、情報処理装置１０３は、関連付けに関するログファイルを作成する。情報処理装置１０３は、関連付けに関するログファイルに、比較元ＪＰＥＧ画像数、比較先ＲＡＷ画像数、ペアリング数（ペアとなった画像の数）、ペアリングに失敗したＪＰＥＧ画像のファイル名（及び／又はＲＡＷ画像のファイル名）を記録する。
【００６３】
以上、上述した実施形態によれば、プレゼン時の快適な表示レスポンスを確保すると共に、情報処理装置側で選択されたプレゼン用の画像に対応した印刷用の画像を確実に選択可能にすることができる。
【００６４】
＜実施形態２＞
本実施形態のデジタルカメラ１０１はグルーピング情報（グループ情報）を入力する手段（ボタン、音声、画面等）を有し、この手段からの情報を基に各画像に対してどのグループに属しているかの情報（つまりグルーピング情報）を付加する機能を有している。この画像に付加されたグルーピング情報と、付加情報（「デジタルカメラのＢｏｄｙＮｏ」＋「撮影日時（ミリ秒）」）等と、を組合せる事により、情報処理装置１０３は、例えば、グルーピング情報を用いて検索等を行うことができる。つまり、情報処理装置１０３は、画像がどこに格納されていても瞬時にグルーピング情報を用いた検索の結果、表示等をすることができる。なお、以下では、グルーピング情報を入力する手段の一例として、ボタン（グルーピング情報入力ボタン）を例に説明を行う。
【００６５】
処理の概要を説明すると、デジタルカメラ１０１は、グルーピング情報入力ボタン９１が押下されると、グルーピング情報（デフォルトの場合、日付時刻）を採番し、表示する（図９（ａ）及び（ｂ）参照）。ユーザは、そのままでよければＯＫを選択、変更したい場合は自身でグルーピング情報を入力し、ＯＫを選択、又は取り消したい場合は、ＣＡＮＣＥＬを選択する。
【００６６】
撮影が開始されると、デジタルカメラ１０１は、画像にグルーピング情報を付加（又は画像の付加情報にグルーピング情報を追加）する。デジタルカメラ１０１は、再度、グルーピング情報入力ボタン９１が押下されるまで、同一グルーピング情報を画像に付加する。
【００６７】
図１０は、グルーピング情報付加処理の一例を示すフローチャートである。なお、以下では、図３のステップＳ３０１の処理（生成画像形式設定処理）及びステップＳ３０２の処理（転送画像形式設定処理）は、既に実行されているものとして説明する。
【００６８】
ステップＳ１００１において、デジタルカメラ１０１は、グルーピング情報入力ボタン９１が押下されたことを検知する。
ステップＳ１００２において、デジタルカメラ１０１は、グルーピング情報を採番（デフォルトの場合、日付時刻）し、画面に表示し、ユーザ操作に応じて、グルーピング情報を決定する。
【００６９】
ステップＳ１００３において、デジタルカメラ１０１は、ユーザ操作（シャッターボタン押下）に応じて、撮影を行い、ＲＡＷ画像を生成する。ステップＳ１００４において、デジタルカメラ１０１は、設定された生成画像形式に応じて、ＲＡＷ画像からＪＰＥＧ画像を生成する。
ステップＳ１００５において、デジタルカメラ１０１は、ＲＡＷ画像及びＪＰＥＧ画像にグルーピング情報を付加する。
【００７０】
ステップＳ１００６において、デジタルカメラ１０１は、設定された転送画像形式に応じて、転送対象ではないＲＡＷ画像を記憶媒体等に書き込む。ステップＳ１００７において、デジタルカメラ１０１は、設定された転送画像形式に応じて、転送対象のＪＰＥＧ画像を情報処理装置１０３に転送（送信）する。ステップＳ１００８において、デジタルカメラ１０１は、所定のボタンが押下されたか否かに応じて、撮影を終了するか否かを判定する。デジタルカメラ１０１は、撮影を終了しないと判定すると、ステップＳ１００９に進み、撮影を終了すると判定すると、図１０に示す処理を終了する。
【００７１】
ステップＳ１００９において、デジタルカメラ１０１は、グルーピング情報入力ボタン９１が押下されたか否かを判定する。デジタルカメラ１０１は、グルーピング情報入力ボタン９１が押下された場合、ステップＳ１００２に処理を進め、グルーピング情報入力ボタン９１が押下されていない場合、ステップＳ１００３に処理を進める。
【００７２】
図１１は、グルーピング情報による検索処理の一例を示すフローチャートである。
ステップＳ１１０１において、情報処理装置１０３は、ユーザ操作に応じて、検索する範囲情報（例えば、情報処理装置１０３内、ＬＡＮ内、ＷＡＮ内等の情報）を受け取る。
【００７３】
ステップＳ１１０２において、情報処理装置１０３は、検索条件として入力されたグルーピング情報（及び関連付け情報（「デジタルカメラのＢｏｄｙＮｏ」＋「撮影日時の範囲（ｆｒｏｍ〜ｔｏ）又は撮影日時（ミリ秒）」）等）に基づいて、指定された検索範囲内を検索する。ステップＳ１１０３において、情報処理装置１０３は、検索結果として、同一のグルーピング情報（及び関連付け情報等）を有する画像をディスプレイ１０４等に表示する。
【００７４】
ステップＳ１１０４において、情報処理装置１０３は、所定のユーザ操作が行われたか否かに基づいて、検索を終了するか否かを判定する。情報処理装置１０３は、検索を終了すると判定すると、図１１に示す処理を終了し、検索を終了しないと判定すると、ステップＳ１１０１に戻る。
【００７５】
以上、本実施形態によれば、グルーピング情報、又はグルーピング情報及び関連付け情報を用いて、画像を検索することによって、画像が何処に格納されていても速やかに検索し、表示することができる。
【００７６】
以上、本発明の好ましい実施形態について詳述したが、本発明は係る特定の実施形態に限定されるものではなく、特許請求の範囲に記載された本発明の要旨の範囲内において、種々の変形・変更が可能である。例えば印刷装置１０２を情報処理装置１０３とＵＳＢケーブルで接続しても良い。又上述の実施形態では無線ＬＡＮアクセスポイントを介した無線ＬＡＮにより画像データの転送を行なっているが、デジタルカメラ１０１と情報処理装置１０３の双方に無線通信アダプタを装着して直接通信することも勿論可能であり、又操作性は多少悪化するものの、雑音が多い環境下で撮影する場合等では、デジタルカメラ１０１と情報処理装置１０３をケーブル等で直接接続して画像を転送することも可能である。又デジタルカメラ１０１が撮影した画像を不図示のＮＡＳ（ネットワークアタッチトストレージ）に一旦転送し、ＮＡＳから容量の小さい画像（ＪＰＥＧやｓＲＡＷ等）を先に情報処理装置１０３に転送することも可能である。
【図面の簡単な説明】
【００７７】
【図１】印刷システムのシステム構成の一例を示す図である。
【図２】情報処理装置（コンピュータ）のハードウェア構成の一例を示す図である。
【図３】プレゼン用画像の転送処理の一例を示すフローチャートである。
【図４】受付番号入力画面の一例を示す図である。
【図５】関連付け処理の一例を示すフローチャートである。
【図６】画像の格納場所であるフォルダ階層構造の一例を示す図である。
【図７】関連付け対象画像選択画面の一例を示す図である。
【図８】関連付け処理の詳細を示すフローチャートである。
【図９】グルーピング情報に関するデジタルカメラの一例を示す図である。
【図１０】グルーピング情報付加処理の一例を示すフローチャートである。
【図１１】グルーピング情報による検索処理の一例を示すフローチャートである。
【符号の説明】
【００７８】
１００  無線ＬＡＮアクセスポイント
１０１  デジタルカメラ１０１
１０２  印刷装置
１０３  情報処理装置
１０４  ディスプレイ
【図１】
0004614363.tif 000002
【図２】
0004614363.tif 000003
【図３】
0004614363.tif 000004
【図４】
0004614363.tif 000005
【図５】
0004614363.tif 000006
【図６】
0004614363.tif 000007
【図７】
0004614363.tif 000008
【図８】
0004614363.tif 000009
【図９】
0004614363.tif 000010
【図１０】
0004614363.tif 000011
【図１１】
0004614363.tif 000012